(57)【要約】本考案は、送出される空気の温度範囲を多様に調節でき、陰イオンの発生効果があるヘアドライヤーに関する。各操作スイッチＳ１、Ｓ２、Ｓ３、Ｓ４が独立的に設置された操作パネル部１２と、各スイッチから入力される入力信号を第２マイクロプロセッサ（ＭＰＵ２）２００に伝送するための第１マイクロプロセッサ（ＭＰＵ１）１００と、入力信号によって駆動モータの駆動を制御してヒーティングコイルＣに印加される電流の通電間隔を段階付けするための第２マイクロプロセッサ（ＭＰＵ２）２００と、により構成される。本考案にかかるヘアドライヤーは、温度範囲を多様に調節できるようにすることによって、より多様な分野で活用されることができる。また、単一のヒーティングコイルＣを用いることにより、ヘアドライヤー内部の構成が非常に簡単で、故障や電気的な事故による危険性を減らすことができる。【選択図】図１
0003140884.tif 000002
【実用新案登録請求の範囲】
【請求項１】
接続端子（Ｗ）に接続されるように、送風口に設置されたヒーティングコイル支持体の回りに取り付けられる単一のヒーティングコイルと、
電源を印加し、かつ駆動モータ（図示せず）の駆動を開始するための作動スイッチ（Ｓ１）と、送出される空気の強さ（風量）を調節するための風量調節スイッチ（Ｓ２）と、温度範囲を調節するための少なくとも２個以上の温度調節スイッチ（Ｓ３）と、電源を遮断するための停止スイッチ（Ｓ４）とを各々独立して含み、前記スイッチの一側領域に表示ウィンドウ（Ｄ）を含む操作パネル部と、
前記各スイッチ（Ｓ１、Ｓ２、Ｓ３、Ｓ４）により入力される入力信号を第２マイクロプロセッサ（ＭＰＵ２）（２００）に伝送するための第１マイクロプロセッサ（ＭＰＵ１）（１００）と、
送出空気の強さを強／弱で調節するために、前記第１マイクロプロセッサ（ＭＰＵ１）（１００）からの入力信号により前記駆動モータの駆動及び停止を制御すると同時に、前記駆動モータの駆動速度を制御するようにプログラムされたモータ制御部と、前記入力信号によってヒーティングコイル（Ｃ）に電源を印加または遮断する通電制御部（２２０）と、ヘアドライヤー（１０）の現在の動作状態（風量、温度等）を前記表示ウィンドウ（Ｄ）に出力するようにプログラムされたディスプレイ部と、を含む第２マイクロプロセッサ（ＭＰＵ２）（２００）と、
を備えることを特徴とする、ヘアドライヤー。
【請求項２】
前記通電制御部（２２０）は、ヒーティングコイル（Ｃ）に供給される電流を各々異なる時間間隔で通電及び断電させるようにプログラミングされた第１、第２及び第３の通電間隔制御部（２２１、２２２及び２２３）を備えることを特徴とする、請求項１に記載のヘアドライヤー。
【請求項３】
前記ヒーティングコイル支持体（１４）は、ひすいからなるひすい溝造体に少なくとも２つ以上の設置溝を形成した後、各々の前記設置溝に雲母からなる支持片（１６）を嵌合するように構成されることを特徴とする、請求項１に記載のヘアドライヤー。
【請求項４】
前記ヒーティングコイル支持体（１４）は、雲母からなり放射状に配列される支持片（１６）の一側を連結して前記支持片（１６）の内側に結合領域（１６ａ）を形成し、前記結合領域（１６ａ）内にひすい構造体を嵌合するように構成されることを特徴とする、請求項１に記載のヘアドライヤー。
【請求項５】
前記ヒーティングコイル支持体（１４）は、雲母からなる板状体を有する支持片（１６）を互いに交差設置して、前記支持片（１６）の表面の長手方向に分割面（１６ａ）を形成し、各々の前記分割面にひすいからなるひすいプレートを付着させるように構成されることを特徴とする、請求項１に記載のヘアドライヤー。
【考案の詳細な説明】
【技術分野】
【０００１】
本考案は、ヘアドライヤーに係り、より詳細には、操作の便宜性を増進させ、送出空気の温度範囲を多様に可変させ、かつ、送出空気中に陰イオンを発生させることが可能なヘアドライヤーに関する。
【背景技術】
【０００２】
一般的なヘアドライヤーは、金属製の支持体の上に複数のヒーティングコイル（ニクロム線）を別々に設置し、支持体上の各ヒーティングコイルに電流を流す通電端子を設置するように構成される。さらに、駆動モータ（または、駆動ファン）により送出される空気が、支持体を経由してヒーティングコイルから発生した熱により加熱される。
【０００３】
このような従来のヘアドライヤーは、通電されるヒーティングコイルの数量を選択することにより、加熱温度の強弱を調節する。したがって、多数のヒーティングコイルと通電端子とを具備する必要があるため、構成が複雑で、漏電などのような故障が頻発し、またヒーティングコイルに電流を印加するための多数の配線が絡み合うことにより電気的な事故が発生する危険もあった。
【０００４】
また、従来のヘアドライヤーは、ヒーティングコイルの数量により温度の強弱を調節できるようにしたことで、調節可能な温度の範囲に限界がある。さらに、従来のヘアドライヤーは、スライド式スイッチや多段接続のプッシュボタンにより操作されるため、各機能の正確な制御が困難であるだけではなく、その操作が非常に不便であるなどの問題点があった。さらに、従来のヘアドライヤーは、ヒーティングコイルによって発生される煙のような臭いが空気とともに排出され、ユーザーに不快感を与える。
【考案の開示】
【考案が解決しようとする課題】
【０００５】
したがって、本考案は、かかる従来のヘアドライヤーの問題点を解決するためになされたものであって、その目的は、単一のヒーティングコイル（ニクロム線など）を用いる簡潔な構造で温度範囲を多様に調節できるようにすることにより、ヘアドライヤーを多様な分野に適用させ、操作の便宜性及び動作の正確性を向上させることができ、また、ひすい（ｊａｄｅ、玉、天然玉）からなる構造体（支持体）の周りにヒーティングコイルを設置ることにより、送出される空気中に多量の遠赤外線及び陰イオンが放出されるようにし、ヒーティングコイルから発生される悪臭を中和させることができるヘアドライヤーを提供することにある。
【課題を解決するための手段】
【０００６】
上記目的を達成するために、本考案は、ヘアドライヤーの送風口内部に嵌設される単一のヒーティングコイルに印加される電流の通電間隔を通電間隔制御部の制御により複数段階に段階付けされるようにして、ヒーティングコイルに印加される電流の通電間隔（時間）により温度が調節されるようにした。また、ひすい（ｊａｄｅ、玉、天然玉）からなるひすい構造体の表面に、熱伝導性がほとんどない雲母からなる支持片を設置した後、支持片の周りにヒーティングコイルを設置し、ヒーティングコイルによる発熱がひすい構造体に直接影響を与えないようにした。
【考案の効果】
【０００７】
本考案にかかるヘアドライヤーは、温度範囲をより多様に調節できるため、より多様な分野で活用されることができる。また、単一のヒーティングコイルを使用することにより、内部構造を非常に簡単にすることができ、これにより、製造原価が節減できるだけではなく、複雑な構造による故障や電気的な事故の危険を減らすことができる。さらに、各々の動作が分類された操作スイッチを使用してヘアドライヤーを操作し、その動作状態が表示ウィンドウに出力されるため、操作の正確性及び便宜性が向上されるなどの効果がある。
【０００８】
さらに、本考案にかかるヘアドライヤーは、ヒーティングコイル支持体を構成するひすい構造体により、送出される空気中に人体に有益な多量の遠赤外線及び陰イオンが放出され、ひすい（ｊａｄｅ、玉、天然玉）が有する性質によりヒーティングコイルの発熱時に発生する悪臭が中和されるので、ユーザーに爽快感を提供するだけではなく、ヒーティングコイルの発熱によりひすい構造体が損傷されることを防止することができるため、ヘアドライヤーを長期間使用することができるなどの効果がある。
【考案を実施するための最良の形態】
【０００９】
以下に添付図面を参照しながら、本考案の好適な実施の形態について詳細に説明する。
【００１０】
図１は、本考案の好適な実施形態にかかるヘアドライヤー１０を示す部分断面図である。図１に示すように、本実施形態にかかるヘアドライヤー１０は、取っ手１１に装着された操作パネル部１２を含む。また、操作パネル部１２に電源を印加して駆動モータ（図示せず）の駆動を開始するための作動スイッチ（Ｓ１）、駆動モータの駆動速度を制御して送出される空気の強さ（風量）を増加させるための風量調節スイッチ（Ｓ２）、温度範囲を調節するための温度調節スイッチ（Ｓ３）、及び、電源を遮断するための停止スイッチ（Ｓ４）等の操作スイッチが各々独立に設置されている。操作パネル部１２の一側には、ヘアドライヤー１０の動作状態を表示するための表示ウィンドウ（Ｄ）が設置されている。
【００１１】
このとき、温度調節スイッチ（Ｓ３）は、少なくとも２個設置され、前操作パネル部１２の裏面には、第１マイクロプロセッサ（ＭＰＵ１）１００を装着して各々の操作スイッチ（Ｓ１、Ｓ２、Ｓ３、Ｓ４）からの入力信号が第２マイクロプロセッサ（ＭＰＵ２）２００に伝送されるようにする。
【００１２】
また、ヘアドライヤー１０の送風口１３の内部に、ヒーティングコイル支持体１４を設置し、ヒーティングコイル支持体１４の周りに単一のヒーティングコイルＣを設置する。ヒーティングコイルＣの両端は、ヒーティングコイル支持体１４の一端に設置された接続端子Ｗに連結される。
【００１３】
一方、本考案の実施形態においては、ヘアドライヤー１０の取っ手１１上に操作パネル部１２を設置する構成について説明しているが、操作パネル部１２は、取っ手１１と接するヘアドライヤー１０の本体１０ａ上にも設置でき、操作パネル部１２の設置位置は、本考案による効果には影響を与えない。
【００１４】
図２は、本実施形態にかかるヒーティングコイル支持体１４を示す分解斜視図である。図２に示すように、ヒーティングコイル支持体１４は、ひすい（ｊａｄｅ、玉、天然玉）からなるパイプ形状のひすい構造体１４ａの表面に少なくとも２つの設置溝１５を形成した後、各々の設置溝１５上に雲母（ｍｉｃａ）からなる支持片１６を嵌合して構成される。ここで、ヒーティングコイルＣは、ひすい構造体１４ａより突き出された支持片１６の周りに設置される。このとき、ヒーティングコイル支持体１４を上述したように構成する理由は、ヒーティングコイルＣがひすいに直接触れると、ヒーティングコイルＣから発生される熱によりひすいが破損するためである。
【００１５】
一方、ひすい構造体１４ａは、円形や多角形などの多様なパイプ形状で構成されてもよい。しかし、ひすい構造体１４ａの外形形状は、ヒーティングコイル支持体１４により発揮される効果に影響を及ぼさないため、ひすい構造体１４ａの外形形状は、円形や多角形のパイプ形状に限定されない。
【００１６】
図３は、本実施形態にかかるヘアドライヤーの概略構成を示すブロック図である。図３に示すように、第１マイクロプロセッサ（ＭＰＵ１）１００と第２マイクロプロセッサ（ＭＰＵ２）２００とが接続され、相互にデータを送受信することがわかる。また、各々の操作スイッチ（Ｓ１、Ｓ２、Ｓ３、Ｓ４）により入力される入力信号は、第１マイクロプロセッサ１００を通じて第２マイクロプロセッサ２００に伝送される。
【００１７】
第２マイクロプロセッサ２００は、入力信号によって駆動モータの駆動及び停止を制御すると同時に駆動モータの駆動速度を制御して送出空気の強さを強／弱で調節できるようにプログラミングされたモータ制御部２１０と、入力信号によってヒーティングコイルＣに電流を印加または遮断する通電制御部２２０と、ヘアドライヤー１０の現在の動作状態（風量、温度など）を表示ウィンドウ（Ｄ）に出力するようにプログラミングされたディスプレイ部２３０と、を含む。
【００１８】
通電制御部２２０には、ヒーティングコイルＣに供給される電流を各々異なる時間間隔で通電及び断電を繰り返すようにプログラミングされた第１通電間隔制御部２２１、第２通電間隔制御部２２２、及び第３通電間隔制御部２２３が具備される。第１通電間隔制御部２２１、第２通電間隔制御部２２２、及び第３通電間隔制御部２２３の各々の通電間隔により、ヒーティングコイルＣの温度範囲が複数の段階に区分される。
【００１９】
一方、本考案の実施形態では、ヒーティングコイル（Ｃ）に印加される電流の通電／断電間隔を３段階で制御できる構成について説明しているが、３段階以上の段階で電流の通電／断電間隔を制御するように構成するようにしてもよい。このような電流の通電／断電間隔の段階（即ち、温度範囲の段階）についての構成は、製作過程においてユーザの必要に応じて選択されてもよい。
【００２０】
図４は、本考案の他の実施形態にかかるヒーティングコイル支持体１４を示す。図４に示すように、本実施形態にかかるヒーティングコイル支持体１４は、雲母（ｍｉｃａ）からなり放射状に配列される支持片１６の一端が連結され、支持片１６の内側に各支持片１６による結合領域１６ａを形成し、結合領域１６ａ内にひすい構造体１４ａを嵌合して構成されることができる。このように構成する場合、ひすい構造体１４ａ自体に対する加工を省略することができる。
【００２１】
図５は、本考案のさらに他の実施形態にかかるヒーティングコイル支持体１４を示す。図５に示すように、雲母（ｍｉｃａ）からなる板状の支持片１６を交差設置して、支持片１６の長手方向に分割面１６ａが形成される。接続端子Ｗは、支持片１６の一側に設置され、ひすいからなるひすいプレート１４ｂが各分割面１６ａに付着される。このとき、ひすいプレート１４ｂは、支持片１６の外部に突出されないようにして、支持片１６の周りに設置されるヒーティングコイルＣが、ひすいプレート１４ｂに直接触れることを防止する。
【００２２】
上述のように構成された本考案にかかるヘアドライヤーは、作動スイッチＳ１及び停止スイッチＳ４により駆動モータが作動するかあるいは停止し、送出される空気の量は風量調節スイッチＳ２の操作により調節される。
【００２３】
本考案にかかるヘアドライヤーは、一つ以上の温度調節スイッチＳ３により温度範囲が調節される。各温度調節スイッチＳ３が操作されると、該当するいずれか一つの通電間隔制御部２２１、２２２、２２３に信号が入力され、いずれか一つの通電間隔制御部２２１、２２２、２２３は、あらかじめプログラミングされた時間間隔でヒーティングコイルＣに供給される電流の通電と断電とを繰り返し、ヒーティングコイルＣによる発熱温度を調節する。このような一連の動作状態は、表示ウィンドウＤに出力されるため、ユーザーはヘアドライヤー１０の現在の状態を容易に把握することができる。
【００２４】
駆動モータ及び駆動ファンにより発生した空気は、送風口１３に具備されたヒーティングコイル支持体１４を経由して外部に送出されながら、ヒーティングコイル支持体１４の周りに設置されたヒーティングコイルＣにより加熱される。この過程で、ヒーティングコイル支持体１４を構成するひすい構造体１４ａなどから発生した有益な成分（ひすいから発生する遠赤外線及び陰イオンなど）が加熱された送出空気に含まれる。また、ヒーティングコイル支持体１４のひすい構造体１４ａは、ヒーティングコイルＣの加熱時に発生する煙のような悪臭を中和させる作用をする。
【００２５】
また、本考案にかかるヘアドライヤーは、ひすい溝造体１４ａがヒーティングコイルＣに直接触れないようにすることにより、ヒーティングコイルＣの発熱によりひすい構造体１４ａが破損されることを防止する。さらに、ヒーティングコイルＣを支持する支持片１６は、熱伝導性がほとんどない素材である雲母により製作されるため、ヒーティングコイルＣの熱が伝導されてひすい溝造体１４ａが損傷することを防止することができる。
【００２６】
以上、添付図面を参照しながら本考案の好適な実施形態について説明したが、本考案は係る例に限定されないことは言うまでもない。当業者であれば、特許請求の範囲に記載された範疇内において、各種の変更例または修正例に想到し得ることは明らかであり、それらについても当然に本考案の技術的範囲に属するものと了解される。
【産業上の利用可能性】
【００２７】
本考案にかかるヘアドライヤー１０は、温度範囲を多様に調節することができ、これにより、ヘアドライヤーをより多様な分野で活用することができるようになる。また、単一のヒーティングコイルＣを用いることにより、ヘアドライヤー１０内部の構造が非常に簡単になり、これにより製造原価を著しく節減することができる。
【図面の簡単な説明】
【００２８】
【図１】本考案の好適な実施形態にかかるヘアドライヤーを示す部分断面図である。
【図２】本考案にかかるヒーティングコイル支持体を示す分解斜視図である。
【図３】本考案にかかるヘアドライヤーの概略構成を示すブロック図である。
【図４】本考案の他の実施形態にかかるヒーティングコイル支持体を示す斜視図である。
【図５】本考案のさらに他の実施形態にかかるヒーティングコイル支持体を示す斜視図である。
【図１】
0003140884.tif 000003
【図２】
0003140884.tif 000004
【図３】
0003140884.tif 000005
【図４】
0003140884.tif 000006
【図５】
0003140884.tif 000007